【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
プリンタドライバにより生成された印刷データを記憶する印刷データ記憶手段を備えた情報処理装置と、前記印刷データを管理するための書誌情報データを記憶する書誌情報サーバと、前記印刷データを印刷する印刷装置とを含む印刷システムであって、
前記書誌情報サーバは、
前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段と、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、
前記印刷装置から送信されたユーザ識別情報及び印刷データ一覧情報の送信要求を受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段と
を備え、
前記印刷装置は、
当該印刷装置へのログインに際して入力された前記ユーザ識別情報に関連付けられる印刷データ一覧情報の送信要求を前記ユーザ識別情報とともに前記書誌情報サーバに送信する一覧情報送信要求手段と、
前記一覧情報送信手段によって送信された印刷データ一覧情報を受信する一覧情報受信手段と、
前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段と
を備えたことを特徴とする印刷システム。
【請求項２】
前記表示手段は、前記一覧情報受信手段によって受信された印刷データ一覧情報に含まれる前記印刷可否判定手段により判定された結果に従って、更に印刷可能な印刷データと印刷不可能な印刷データとを識別可能なように、前記印刷データ一覧情報を表示することを特徴とする請求項１に記載の印刷システム。
【請求項３】
前記印刷装置は、
前記表示手段に表示された印刷不可能な印刷データを印刷予約する印刷予約手段を更に備え、
前記書誌情報データ記憶手段は、前記書誌情報データに、前記印刷予約手段により印刷予約が行われたか否かを示す印刷予約フラグを更に記憶し、
前記書誌情報サーバは、
前記印刷装置へのログインがされた場合に、前記ユーザ識別情報を受信したことに応答して、前記印刷予約フラグの内容が予約ありとなっている印刷データであって、前記印刷可否判定手段によって判定された結果に従って、印刷可能であると判定された印刷データを、前記印刷装置でユーザからの印刷指定を受け付けることなく印刷すべく、当該印刷データを記憶する情報処理装置に対して、当該印刷データの印刷データ特定情報を含む印刷指示を行うことを特徴とする請求項１又は２に記載の印刷システム。
【請求項４】
前記印刷装置は、
前記印刷データ一覧情報から選択された印刷データの印刷要求を前記書誌情報サーバに対して発行する印刷要求手段を更に備え、
前記書誌情報サーバは、
前記印刷装置の印刷要求手段により印刷の要求がなされた印刷データの印刷データ特定情報と該印刷要求を行った印刷装置を識別する印刷装置識別情報を含む印刷指示を、当該印刷データ特定情報を含む書誌情報データの装置特定情報から特定される情報処理装置に対して送信する印刷指示手段を更に備え、
前記情報処理装置は、
前記書誌情報サーバの印刷指示手段により印刷指示された印刷データ特定情報により特定される印刷データを、前記印刷装置識別情報により識別される印刷装置に対して送信する印刷データ送信手段を更に備えることを特徴とする請求項１乃至３のいずれか１項に記載の印刷システム。
【請求項５】
前記印刷可否判定手段は、印刷が可能である場合には、印刷可として判定し、印刷が不可能である場合には、印刷不可として判定することを特徴とする請求項１乃至４のいずれか１項に記載の印刷システム。
【請求項６】
前記書誌情報サーバから前記情報処理装置への通信の際、前記装置特定情報を読み出して、接続先となる情報処理装置を特定することを特徴とする請求項１乃至５のいずれか１項に記載の印刷システム。
【請求項７】
前記情報処理装置は、
前記印刷データ記憶手段に記憶された印刷データを管理するための前記書誌情報データを生成し、前記書誌情報サーバに送信する書誌情報データ送信手段を更に備え、
前記書誌情報データ記憶手段は、前記書誌情報データ送信手段によって送信された書誌情報データを受信し、前記書誌情報データ記憶手段に記憶することを特徴とする請求項１乃至６のいずれか１項に記載の印刷システム。
【請求項８】
前記情報処理装置と前記書誌情報サーバは、１つの印刷管理サーバであることを特徴とする請求項１乃至７のいずれか１項に記載の印刷システム。
【請求項９】
プリンタドライバにより生成された印刷データを記憶する印刷データ記憶手段を備えた情報処理装置及び前記印刷データを印刷する印刷装置と相互に通信可能な書誌情報サーバであって、
前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段と、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、
前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段と
を備えたことを特徴とする書誌情報サーバ。
【請求項１０】
前記印刷データ一覧情報のうち、前記印刷可否判定手段により判定された結果が印刷不可を示す印刷データを印刷予約する要求を受け付ける印刷予約受付手段を更に備え、
前記書誌情報データ記憶手段は、前記書誌情報データに、前記印刷予約が行われたか否かを示す印刷予約フラグを更に記憶し、
前記印刷可否判定手段で判定された結果、印刷が可能であると判定され、前記印刷装置への再ログインが行われることにより前記印刷装置から前記ユーザ識別情報を受信することに応じて、前記印刷予約フラグの内容が予約ありとなっている印刷データを印刷させるべく、当該印刷データを記憶する情報処理装置に対して、当該印刷データの印刷データ特定情報を含む印刷指示を行うことを特徴とする請求項９に記載の書誌情報サーバ。
【請求項１１】
前記書誌情報サーバは、
前記印刷装置により前記印刷データ一覧情報から選択された印刷データの印刷要求がなされた場合に、当該印刷データの印刷データ特定情報と該印刷要求を行った印刷装置を識別する印刷装置識別情報を含む印刷指示を、当該印刷データ特定情報を含む書誌情報データの装置特定情報から特定される情報処理装置に対して送信する印刷指示手段を更に備えることを特徴とする請求項９又は１０に記載の書誌情報サーバ。
【請求項１２】
前記印刷可否判定手段は、印刷が可能である場合には、印刷可として判定し、印刷が不可能である場合には、印刷不可として判定することを特徴とする請求項９乃至１１のいずれか１項に記載の書誌情報サーバ。
【請求項１３】
前記書誌情報サーバから前記情報処理装置への通信の際、前記装置特定情報を読み出して、接続先となる情報処理装置を特定することを特徴とする請求項９乃至１２のいずれか１項に記載の書誌情報サーバ。
【請求項１４】
プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置であって、
当該印刷装置へのログインに際して入力されたユーザ識別情報に関連付けられる印刷データ一覧情報の送信要求を前記ユーザ識別情報とともに前記書誌情報サーバに送信する一覧情報送信要求手段と、
印刷データ特定情報と、前記印刷可否判定手段により判定された結果とを含む前記印刷データ一覧情報を受信する一覧情報受信手段と、
前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段と
を備え、
前記印刷データ特定情報は、前記書誌情報サーバが有する前記書誌情報データ内に含まれ、
前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、
前記印刷データ一覧情報は、前記印刷装置から前記書誌情報サーバへの要求に応答して、前記書誌情報サーバによって生成されることを特徴とする印刷装置。
【請求項１５】
前記表示手段は、前記一覧情報受信手段によって受信された印刷データ一覧情報に含まれる前記印刷可否判定手段により判定された結果に従って、更に印刷可能な印刷データと印刷不可能な印刷データとを識別可能なように、前記印刷データ一覧情報を表示することを特徴とする請求項１４に記載の印刷装置。
【請求項１６】
前記表示手段に表示された印刷不可能な印刷データを印刷予約する印刷予約手段を更に備え、
前記書誌情報データは、前記印刷予約手段により印刷予約が行われたか否かを示す印刷予約フラグを更に含み、
前記装置特定情報によって特定された情報処理装置と前記書誌情報サーバとの間で通信することにより印刷が可能であると判定され、前記印刷装置への再ログインが行われることにより前記書誌情報サーバが前記ユーザ識別情報を受信することに応じて、前記印刷予約フラグの内容が予約ありとなっている印刷データを印刷させるべく、当該印刷データを記憶する情報処理装置に対して、当該印刷データの印刷データ特定情報を含む印刷指示が行われ、前記印刷装置は、前記情報処理装置から当該印刷データを受信して、当該印刷データを出力することを特徴とする請求項１４又は１５に記載の印刷装置。
【請求項１７】
プリンタドライバにより生成された印刷データを記憶する印刷データ記憶手段を備えた情報処理装置と、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバと、前記印刷データを印刷する印刷装置とを含む印刷システムの制御方法であって、
前記書誌情報サーバは、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定ステップと、
前記印刷装置から送信されたユーザ識別情報及び印刷データ一覧情報の送信要求を受信したことに応答して、前記書誌情報データ内の前記印刷データ特定情報と前記印刷可否判定ステップにより判定された結果とを含む印刷データ一覧情報であって、当該ユーザ識別情報に関連付けられた印刷データ一覧情報を前記印刷装置に送信する一覧情報送信ステップと
を実行し、
前記印刷装置は、
当該印刷装置へのログインに際して入力された前記ユーザ識別情報に関連付けられる印刷データ一覧情報の送信要求を前記ユーザ識別情報とともに前記書誌情報サーバに送信する一覧情報送信要求ステップと、
前記一覧情報送信ステップによって送信された印刷データ一覧情報を受信する一覧情報受信ステップと、
前記一覧情報受信ステップによって受信された印刷データ一覧情報に含まれる前記印刷可否判定ステップにより判定された結果に従って、前記印刷可否判定ステップにより印刷可能と判定された印刷データだけを即時印刷するための印刷指示可能に、前記印刷データ一覧情報を表示する表示ステップと
を実行することを特徴とする印刷システムの制御方法。
【請求項１８】
プリンタドライバにより生成された印刷データを記憶する印刷データ記憶手段を備えた情報処理装置と、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバと、前記印刷データを印刷する印刷装置とを含む印刷システムの制御方法をコンピュータに実行させるためのコンピュータに読み取り実行可能なプログラムであって、
前記書誌情報サーバを、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、
前記印刷装置から送信されたユーザ識別情報及び印刷データ一覧情報の送信要求を受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段
として機能させ、
前記印刷装置を、
当該印刷装置へのログインに際して入力された前記ユーザ識別情報に関連付けられる印刷データ一覧情報の送信要求を前記ユーザ識別情報とともに前記書誌情報サーバに送信する一覧情報送信要求手段と、
前記一覧情報送信手段によって送信された印刷データ一覧情報を受信する一覧情報受信手段と、
前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段
として機能させるためのコンピュータに読み取り実行可能なプログラム。
【請求項１９】
プリンタドライバにより生成された印刷データを記憶する印刷データ記憶手段を備えた情報処理装置及び前記印刷データを印刷する印刷装置と相互に通信可能であって、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバの制御方法であって、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定ステップと、
前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定ステップにより判定された結果とを含む印刷データ一覧情報であって、当該ユーザ識別情報に関連付けられた印刷データ一覧情報を前記印刷装置に送信する一覧情報送信ステップと
を実行することを特徴とする書誌情報サーバの制御方法。
【請求項２０】
プリンタドライバにより生成された印刷データを記憶する印刷データ記憶手段を備えた情報処理装置及び前記印刷データを印刷する印刷装置と相互に通信可能であって、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバの制御方法をコンピュータに実行させるためのコンピュータに読み取り実行可能なプログラムであって、
前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、
前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段
として機能させるためのコンピュータに読み取り実行可能なプログラム。
【請求項２１】
プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置の制御方法であって、
当該印刷装置へのログインに際して入力されたユーザ識別情報に関連付けられる印刷データ一覧情報の送信要求を前記ユーザ識別情報とともに前記書誌情報サーバに送信する一覧情報送信要求ステップと、
印刷データ特定情報と、前記印刷可否判定手段により判定された結果とを含む前記印刷データ一覧情報を受信する一覧情報受信ステップと、
前記一覧情報受信ステップによって受信された印刷データ一覧情報に含まれる前記印刷可否判定手段により判定された結果に従って、前記印刷可否判定ステップにより印刷可能と判定された印刷データだけを即時印刷するための印刷指示可能に、前記印刷データ一覧情報を表示する表示ステップと
を実行し、
前記印刷データ特定情報は、前記書誌情報サーバが有する前記書誌情報データ内に含まれ、
前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、
前記印刷データ一覧情報は、前記印刷装置から前記書誌情報サーバへの要求に応答して、前記書誌情報サーバによって生成されることを特徴とする印刷装置の制御方法。
【請求項２２】
プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置の制御方法をコンピュータに実行させるためのコンピュータに読み取り実行可能なプログラムであって、
当該印刷装置へのログインに際して入力されたユーザ識別情報に関連付けられる印刷データ一覧情報の送信要求を前記ユーザ識別情報とともに前記書誌情報サーバに送信する一覧情報送信要求手段と、
印刷データ特定情報と、前記印刷可否判定手段により判定された結果とを含む前記印刷データ一覧情報を受信する一覧情報受信手段と、
前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段
として機能させ、
前記印刷データ特定情報は、前記書誌情報サーバが有する前記書誌情報データ内に含まれ、
前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、
前記印刷データ一覧情報は、前記印刷装置から前記書誌情報サーバへの要求に応答して、前記書誌情報サーバによって生成されることを特徴とするコンピュータに読み取り実行可能なプログラム。
【手続補正２】
【補正対象書類名】明細書
【補正対象項目名】００１１
【補正方法】変更
【補正の内容】
【００１１】
そこで本発明の目的は、情報処理装置に印刷データを蓄積する場合に、情報処理装置と通信することにより印刷可能な印刷データと印刷不可能な印刷データとを判定し、印刷可能な印刷データを印刷装置の表示部において印刷指示可能に表示することで、操作者の誤認識を防止する仕組みを提供することにある。
【手続補正３】
【補正対象書類名】明細書
【補正対象項目名】００１２
【補正方法】変更
【補正の内容】
【００１２】
この課題を解決するために、請求項１に記載の発明は、プリンタドライバにより生成された印刷データを記憶する印刷データ記憶手段を備えた情報処理装置と、前記印刷データを管理するための書誌情報データを記憶する書誌情報サーバと、前記印刷データを印刷する印刷装置とを含む印刷システムであって、前記書誌情報サーバは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段と、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、前記印刷装置から送信されたユーザ識別情報及び印刷データ一覧情報の送信要求を受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段とを備え、前記印刷装置は、当該印刷装置へのログインに際して入力された前記ユーザ識別情報に関連付けられる印刷データ一覧情報の送信要求を前記ユーザ識別情報とともに前記書誌情報サーバに送信する一覧情報送信要求手段と、前記一覧情報送信手段によって送信された印刷データ一覧情報を受信する一覧情報受信手段と、前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段とを備えたことを特徴とする。
【手続補正４】
【補正対象書類名】明細書
【補正対象項目名】００１３
【補正方法】変更
【補正の内容】
【００１３】
この構成によれば、情報処理装置に印刷データを蓄積する場合に、情報処理装置の通信状態に応じて発生する印刷可能な印刷データだけを、印刷指示の操作を行う印刷装置の表示部に表示することで、操作者が容易に認識することができる仕組みを提供することが可能となる。
【手続補正５】
【補正対象書類名】明細書
【補正対象項目名】００１４
【補正方法】変更
【補正の内容】
【００１４】
また、請求項２に記載の発明は、請求項１に記載の印刷システムであって、前記表示手段は、前記一覧情報受信手段によって受信された印刷データ一覧情報に含まれる前記印刷可否判定手段により判定された結果に従って、更に印刷可能な印刷データと印刷不可能な印刷データとを識別可能なように、前記印刷データ一覧情報を表示することを特徴とする。
【手続補正６】
【補正対象書類名】明細書
【補正対象項目名】００１５
【補正方法】変更
【補正の内容】
【００１５】
また、請求項３に記載の発明は、請求項１または２に記載の印刷システムであって、前記印刷装置は、前記表示手段に表示された印刷不可能な印刷データを印刷予約する印刷予約手段を更に備え、前記書誌情報データ記憶手段は、前記書誌情報データに、前記印刷予約手段により印刷予約が行われたか否かを示す印刷予約フラグを更に記憶し、前記書誌情報サーバは、前記印刷装置へのログインがされた場合に、前記ユーザ識別情報を受信したことに応答して、前記印刷予約フラグの内容が予約ありとなっている印刷データであって、前記印刷可否判定手段によって判定された結果に従って、印刷可能であると判定された印刷データを、前記印刷装置でユーザからの印刷指定を受け付けることなく印刷すべく、当該印刷データを記憶する情報処理装置に対して、当該印刷データの印刷データ特定情報を含む印刷指示を行うことを特徴とする。
【手続補正７】
【補正対象書類名】明細書
【補正対象項目名】００１６
【補正方法】変更
【補正の内容】
【００１６】
また、請求項４に記載の発明は、請求項１乃至３のいずれか１項に記載の印刷システムであって、前記印刷装置は、前記印刷データ一覧情報から選択された印刷データの印刷要求を前記書誌情報サーバに対して発行する印刷要求手段を更に備え、前記書誌情報サーバは、前記印刷装置の印刷要求手段により印刷の要求がなされた印刷データの印刷データ特定情報と該印刷要求を行った印刷装置を識別する印刷装置識別情報を含む印刷指示を、当該印刷データ特定情報を含む書誌情報データの装置特定情報から特定される情報処理装置に対して送信する印刷指示手段を更に備え、前記情報処理装置は、前記書誌情報サーバの印刷指示手段により印刷指示された印刷データ特定情報により特定される印刷データを、前記印刷装置識別情報により識別される印刷装置に対して送信する印刷データ送信手段を更に備えることを特徴とする。
【手続補正８】
【補正対象書類名】明細書
【補正対象項目名】００１７
【補正方法】変更
【補正の内容】
【００１７】
また、請求項５に記載の発明は、請求項１乃至４のいずれか１項に記載の印刷システムであって、前記印刷可否判定手段は、印刷が可能である場合には、印刷可として判定し、印刷が不可能である場合には、印刷不可として判定することを特徴とする。
【手続補正９】
【補正対象書類名】明細書
【補正対象項目名】００１８
【補正方法】変更
【補正の内容】
【００１８】
また、請求項６に記載の発明は、請求項１乃至５のいずれか１項に記載の印刷システムであって、前記書誌情報サーバから前記情報処理装置への通信の際、前記装置特定情報を読み出して、接続先となる情報処理装置を特定することを特徴とする。
【手続補正１０】
【補正対象書類名】明細書
【補正対象項目名】００１９
【補正方法】変更
【補正の内容】
【００１９】
また、請求項７に記載の発明は、請求項１乃至６のいずれか１項に記載の印刷システムであって、前記情報処理装置は、前記印刷データ記憶手段に記憶された印刷データを管理するための前記書誌情報データを生成し、前記書誌情報サーバに送信する書誌情報データ送信手段を更に備え、前記書誌情報データ記憶手段は、前記書誌情報データ送信手段によって送信された書誌情報データを受信し、前記書誌情報データ記憶手段に記憶することを特徴とする。
【手続補正１１】
【補正対象書類名】明細書
【補正対象項目名】００２０
【補正方法】変更
【補正の内容】
【００２０】
また、請求項８に記載の発明は、請求項１乃至７のいずれか１項に記載の印刷システムであって、前記情報処理装置と前記書誌情報サーバは、１つの印刷管理サーバであることを特徴とする。
【手続補正１２】
【補正対象書類名】明細書
【補正対象項目名】００２１
【補正方法】変更
【補正の内容】
【００２１】
また、請求項９に記載の発明は、プリンタドライバにより生成された印刷データを記憶する印刷データ記憶手段を備えた情報処理装置及び前記印刷データを印刷する印刷装置と相互に通信可能な書誌情報サーバであって、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段と、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段とを備えたことを特徴とする。
【手続補正１３】
【補正対象書類名】明細書
【補正対象項目名】００２２
【補正方法】変更
【補正の内容】
【００２２】
また、請求項１０に記載の発明は、請求項９に記載の書誌情報サーバであって、前記印刷データ一覧情報のうち、前記印刷可否判定手段により判定された結果が印刷不可を示す印刷データを印刷予約する要求を受け付ける印刷予約受付手段を更に備え、前記書誌情報データ記憶手段は、前記書誌情報データに、前記印刷予約が行われたか否かを示す印刷予約フラグを更に記憶し、前記印刷可否判定手段で判定された結果、印刷が可能であると判定され、前記印刷装置への再ログインが行われることにより前記印刷装置から前記ユーザ識別情報を受信することに応じて、前記印刷予約フラグの内容が予約ありとなっている印刷データを印刷させるべく、当該印刷データを記憶する情報処理装置に対して、当該印刷データの印刷データ特定情報を含む印刷指示を行うことを特徴とする。
【手続補正１４】
【補正対象書類名】明細書
【補正対象項目名】００２３
【補正方法】変更
【補正の内容】
【００２３】
また、請求項１１に記載の発明は、請求項９または１０に記載の書誌情報サーバであって、前記書誌情報サーバは、前記印刷装置により前記印刷データ一覧情報から選択された印刷データの印刷要求がなされた場合に、当該印刷データの印刷データ特定情報と該印刷要求を行った印刷装置を識別する印刷装置識別情報を含む印刷指示を、当該印刷データ特定情報を含む書誌情報データの装置特定情報から特定される情報処理装置に対して送信する印刷指示手段を更に備えることを特徴とする。
【手続補正１５】
【補正対象書類名】明細書
【補正対象項目名】００２４
【補正方法】変更
【補正の内容】
【００２４】
また、請求項１２に記載の発明は、請求項９乃至１１のいずれか１項に記載の書誌情報サーバであって、前記印刷可否判定手段は、印刷が可能である場合には、印刷可として判定し、印刷が不可能である場合には、印刷不可として判定することを特徴とする。
【手続補正１６】
【補正対象書類名】明細書
【補正対象項目名】００２５
【補正方法】変更
【補正の内容】
【００２５】
また、請求項１３に記載の発明は、請求項９乃至１２のいずれか１項に記載の書誌情報サーバであって、前記書誌情報サーバから前記情報処理装置への通信の際、前記装置特定情報を読み出して、接続先となる情報処理装置を特定することを特徴とする。
【手続補正１７】
【補正対象書類名】明細書
【補正対象項目名】００２６
【補正方法】変更
【補正の内容】
【００２６】
また、請求項１４に記載の発明は、プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置であって、当該印刷装置へのログインに際して入力されたユーザ識別情報に関連付けられる印刷データ一覧情報の送信要求を前記ユーザ識別情報とともに前記書誌情報サーバに送信する一覧情報送信要求手段と、印刷データ特定情報と、前記印刷可否判定手段により判定された結果とを含む前記印刷データ一覧情報を受信する一覧情報受信手段と、前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段とを備え、前記印刷データ特定情報は、前記書誌情報サーバが有する前記書誌情報データ内に含まれ、前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、前記印刷データ一覧情報は、前記印刷装置から前記書誌情報サーバへの要求に応答して、前記書誌情報サーバによって生成されることを特徴とする。
【手続補正１８】
【補正対象書類名】明細書
【補正対象項目名】００２７
【補正方法】変更
【補正の内容】
【００２７】
また、請求項１５に記載の発明は、請求項１４に記載の印刷装置であって、前記表示手段は、前記一覧情報受信手段によって受信された印刷データ一覧情報に含まれる前記印刷可否判定手段により判定された結果に従って、更に印刷可能な印刷データと印刷不可能な印刷データとを識別可能なように、前記印刷データ一覧情報を表示することを特徴とする。
【手続補正１９】
【補正対象書類名】明細書
【補正対象項目名】００２８
【補正方法】変更
【補正の内容】
【００２８】
また、請求項１６に記載の発明は、請求項１４または１５に記載の印刷システムであって、前記表示手段に表示された印刷不可能な印刷データを印刷予約する印刷予約手段を更に備え、前記書誌情報データは、前記印刷予約手段により印刷予約が行われたか否かを示す印刷予約フラグを更に含み、前記装置特定情報によって特定された情報処理装置と前記書誌情報サーバとの間で通信することにより印刷が可能であると判定され、前記印刷装置への再ログインが行われることにより前記書誌情報サーバが前記ユーザ識別情報を受信することに応じて、前記印刷予約フラグの内容が予約ありとなっている印刷データを印刷させるべく、当該印刷データを記憶する情報処理装置に対して、当該印刷データの印刷データ特定情報を含む印刷指示が行われ、前記印刷装置は、前記情報処理装置から当該印刷データを受信して、当該印刷データを出力することを特徴とする。
【手続補正２０】
【補正対象書類名】明細書
【補正対象項目名】００２９
【補正方法】変更
【補正の内容】
【００２９】
また、請求項１７に記載の発明は、プリンタドライバにより生成された印刷データを記憶する印刷データ記憶手段を備えた情報処理装置と、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバと、前記印刷データを印刷する印刷装置とを含む印刷システムの制御方法であって、前記書誌情報サーバは、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定ステップと、前記印刷装置から送信されたユーザ識別情報及び印刷データ一覧情報の送信要求を受信したことに応答して、前記書誌情報データ内の前記印刷データ特定情報と前記印刷可否判定ステップにより判定された結果とを含む印刷データ一覧情報であって、当該ユーザ識別情報に関連付けられた印刷データ一覧情報を前記印刷装置に送信する一覧情報送信ステップとを実行し、前記印刷装置は、当該印刷装置へのログインに際して入力された前記ユーザ識別情報に関連付けられる印刷データ一覧情報の送信要求を前記ユーザ識別情報とともに前記書誌情報サーバに送信する一覧情報送信要求ステップと、前記一覧情報送信ステップによって送信された印刷データ一覧情報を受信する一覧情報受信ステップと、前記一覧情報受信ステップによって受信された印刷データ一覧情報に含まれる前記印刷可否判定ステップにより判定された結果に従って、前記印刷可否判定ステップにより印刷可能と判定された印刷データだけを即時印刷するための印刷指示可能に、前記印刷データ一覧情報を表示する表示ステップとを実行することを特徴とする。
【手続補正２１】
【補正対象書類名】明細書
【補正対象項目名】００３０
【補正方法】変更
【補正の内容】
【００３０】
また、請求項１８に記載の発明は、プリンタドライバにより生成された印刷データを記憶する印刷データ記憶手段を備えた情報処理装置と、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバと、前記印刷データを印刷する印刷装置とを含む印刷システムの制御方法をコンピュータに実行させるためのコンピュータに読み取り実行可能なプログラムであって、前記書誌情報サーバを、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、前記印刷装置から送信されたユーザ識別情報及び印刷データ一覧情報の送信要求を受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段
として機能させ、前記印刷装置を、当該印刷装置へのログインに際して入力された前記ユーザ識別情報に関連付けられる印刷データ一覧情報の送信要求を前記ユーザ識別情報とともに前記書誌情報サーバに送信する一覧情報送信要求手段と、前記一覧情報送信手段によって送信された印刷データ一覧情報を受信する一覧情報受信手段と、前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段として機能させることを特徴とする。
【手続補正２２】
【補正対象書類名】明細書
【補正対象項目名】００３１
【補正方法】変更
【補正の内容】
【００３１】
また、請求項１９に記載の発明は、プリンタドライバにより生成された印刷データを記憶する印刷データ記憶手段を備えた情報処理装置及び前記印刷データを印刷する印刷装置と相互に通信可能であって、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバの制御方法であって、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定ステップと、前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定ステップにより判定された結果とを含む印刷データ一覧情報であって、当該ユーザ識別情報に関連付けられた印刷データ一覧情報を前記印刷装置に送信する一覧情報送信ステップとを実行することを特徴とする。また、請求項２０に記載の発明は、プリンタドライバにより生成された印刷データを記憶する印刷データ記憶手段を備えた情報処理装置及び前記印刷データを印刷する印刷装置と相互に通信可能であって、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含む書誌情報データを記憶する書誌情報データ記憶手段を備えた書誌情報サーバの制御方法をコンピュータに実行させるためのコンピュータに読み取り実行可能なプログラムであって、前記書誌情報データ記憶手段に記憶された書誌情報データに含まれる装置特定情報によって前記印刷データが記憶された情報処理装置を特定し、当該特定された情報処理装置との間で通信することにより印刷が可能であるか否かを判定する印刷可否判定手段と、前記印刷装置へのログインに際して入力された前記ユーザ識別情報に関連付けられる印刷データ一覧情報の送信要求を前記ユーザ識別情報とともに前記印刷装置から受信したことに応答して、前記書誌情報データ内の前記印刷データ特定情報と前記印刷可否判定手段により判定された結果とを含む印刷データ一覧情報であって、当該ユーザ識別情報に関連付けられた印刷データ一覧情報を前記印刷装置に送信する一覧情報送信手段として機能させることを特徴とする。また、請求項２１に記載の発明は、プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置の制御方法であって、当該印刷装置へのログインに際して入力されたユーザ識別情報に関連付けられる印刷データ一覧情報の送信要求を前記ユーザ識別情報とともに前記書誌情報サーバに送信する一覧情報送信要求ステップと、印刷データ特定情報と、前記印刷可否判定手段により判定された結果とを含む前記印刷データ一覧情報を受信する一覧情報受信ステップと、前記一覧情報受信ステップによって受信された印刷データ一覧情報に含まれる前記印刷可否判定手段により判定された結果に従って、前記印刷可否判定ステップにより印刷可能と判定された印刷データだけを即時印刷するための印刷指示可能に、前記印刷データ一覧情報を表示する表示ステップとを実行し、前記印刷データ特定情報は、前記書誌情報サーバが有する前記書誌情報データ内に含まれ、前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、前記印刷データ一覧情報は、前記印刷装置から前記書誌情報サーバへの要求に応答して、前記書誌情報サーバによって生成されることを特徴とする。また、請求項２２に記載の発明は、プリンタドライバにより生成された印刷データを記憶する印刷データ記憶手段を備えた情報処理装置及び前記印刷データを管理するための書誌情報データを記憶し、前記書誌情報データに含まれる装置特定情報によって前記印刷データが記憶された情報処理装置を特定し、当該特定された情報処理装置との間で通信することにより印刷が可能であるか否かを判定する印刷可否判定手段を備えた書誌情報サーバと相互に通信可能な印刷装置の制御方法をコンピュータに実行させるためのコンピュータに読み取り実行可能なプログラムであって、当該印刷装置へのログインに際して入力されたユーザ識別情報に関連付けられる印刷データ一覧情報の送信要求を前記ユーザ識別情報とともに前記書誌情報サーバに送信する一覧情報送信要求手段と、印刷データ特定情報と、前記印刷可否判定手段により判定された結果とを含む前記印刷データ一覧情報を受信する一覧情報受信手段と、前記一覧情報受信手段によって受信された印刷データ一覧情報に含まれる前記印刷可否判定手段により判定された結果に従って、前記印刷可否判定手段により印刷可能と判定された印刷データだけを即時印刷するための印刷指示可能に、前記印刷データ一覧情報を表示する表示手段として機能させ、前記印刷データ特定情報は、前記書誌情報サーバが有する前記書誌情報データ内に含まれ、前記書誌情報データは、前記印刷データ記憶手段に記憶された印刷データを管理するための書誌情報データであって、前記印刷装置に対して前記印刷データの出力を指示したユーザのユーザ識別情報と、前記印刷データが記憶された情報処理装置を特定するための装置特定情報と、当該印刷データを特定するための印刷データ特定情報とを含み、前記印刷データ一覧情報は、前記印刷装置から前記書誌情報サーバへの要求に応答して、前記書誌情報サーバによって生成されることを特徴とする。
【手続補正２３】
【補正対象書類名】明細書
【補正対象項目名】００３２
【補正方法】変更
【補正の内容】
【００３２】
本発明によれば、情報処理装置に印刷データを蓄積する場合に、情報処理装置の通信状態に応じて発生する印刷可能な印刷データだけを、印刷指示の操作を行う印刷装置の表示部に表示することで、操作者が容易に認識することができる。